(57)【要約】  【課題】本発明は、置き場所を大きくとらないドラム式洗濯機を提供することを目的とする。  【解決手段】本発明は、回転軸心線を横にした回転自在なる洗濯ドラムと、前記洗濯ドラムを内置し、洗濯水を溜める外槽と、前記外槽を内置する外枠筐体と、前記外枠筐体内に前記外槽を防振支持する防振支持手段を有し、前記外枠筐体は、筐体本体部と、前記筐体本体部を載置するように支持するベース部を有し、前記ベース部の間口幅、および奥行幅が前記外枠筐体の間口幅、および奥行幅より小さく、前記筐体本体部は、下部側周りが縦方向の湾曲形状をしていることを特徴とする。【選択図】図１
2008093150.tif 000002
【特許請求の範囲】
【請求項１】
回転軸心線を水平もしくは水平から前側が高くなるように傾けた回転自在なる洗濯ドラムと、前記洗濯ドラムを内置し、洗濯水を溜める外槽と、前記外槽を内置する外枠筐体と、前記外枠筐体内に前記外槽を防振支持する防振支持手段を有し、
前記外枠筐体は、筐体本体部と、前記筐体本体部を載置するように支持するベース部を有し、
前記ベース部の間口幅、および奥行幅が前記外枠筐体の間口幅、および奥行幅より小さく、
前記筐体本体部は、下部側周りが縦方向の湾曲形状をしていることを特徴とするドラム式洗濯機。
【請求項２】
回転軸心線を横にした回転自在なる洗濯ドラムと、前記洗濯ドラムを内置し、洗濯水を溜める外槽と、前記外槽を内置する外枠筐体と、前記外枠筐体内に前記外槽を防振支持する防振支持手段を有し、
前記外枠筐体は、筐体本体部と、前記筐体本体部を載置するように支持するベース部を有し、
前記ベース部の間口幅、および奥行幅が前記外枠筐体の間口幅、および奥行幅より小さく、
前記筐体本体部は、下部側の前面および側面が縦方向の湾曲形状をしていることを特徴とするドラム式洗濯機。
【請求項３】
請求項１または２記載のドラム式洗濯機において、
前記下部側は、前面と側面の両コーナが縦横方向の湾曲形状をしていることを特徴とするドラム式洗濯機。
【請求項４】
回転軸心線を横にした回転自在なる洗濯ドラムと、前記洗濯ドラムを内置し、洗濯水を溜める外槽と、前記外槽を内置する外枠筐体と、前記外枠筐体内に前記外槽を防振支持する防振支持手段を有し、
前記外枠筐体は、筐体本体部と、前記筐体本体部を載置するように支持するベース部を有し、
前記ベース部の間口幅、および奥行幅が前記外枠筐体の間口幅、および奥行幅より小さく、
前記筐体本体部は両側面板が鋼板で形成され、
前記ベース部は合成樹脂で形成され、
前記両側面板は、下部寄りの前端側に縦に設けられ、かつ両側面部の板厚よりも厚い鋼板の縦補強部材を有することを特徴とするドラム式洗濯機。
【請求項５】
回転軸心線を横にした回転自在なる洗濯ドラムと、前記洗濯ドラムを内置し、洗濯水を溜める外槽と、前記外槽を内置する外枠筐体と、前記外枠筐体内に前記外槽を防振支持する防振支持手段を有し、
前記外枠筐体は、筐体本体部と、前記筐体本体部を載置するように支持するベース部を有し、
前記ベース部の間口幅、および奥行幅が前記外枠筐体の間口幅、および奥行幅より小さく、
前記筐体本体部は両側面板が鋼板で形成され、
前記ベース部は合成樹脂で形成され、
前記両側面板は、下部側が縦方向の湾曲形状を、前端および後端寄り側が縦方向の湾曲形状をしていることを特徴とするドラム式洗濯機。
【請求項６】
回転軸心線を横にした回転自在なる洗濯ドラムと、前記洗濯ドラムを内置し、洗濯水を溜める外槽と、前記外槽を内置する外枠筐体と、前記外枠筐体内に前記外槽を防振支持する防振支持手段を有し、
前記外枠筐体は、筐体本体部と、前記筐体本体部を載置するように支持するベース部を有し、
前記ベース部の間口幅、および奥行幅が前記外枠筐体の間口幅、および奥行幅より小さく、
前記筐体本体部は両側面板が鋼板で形成され、
前記ベース部は合成樹脂で形成され、
両側面板は、上下側および前後側を湾曲させた湾曲部と、中央に設けた平坦状の中央平坦部を有し、
前記中央平坦部は、下側前後に前後並び設けた二つの運搬用下部取っ手と、上側に設けた運搬用上部取っ手を有することを特徴とするドラム式洗濯機。
【請求項７】
回転軸心線を横にした回転自在なる洗濯ドラムと、前記洗濯ドラムを内置し、洗濯水を溜める外槽と、前記外槽を内置する外枠筐体と、前記外枠筐体内に前記外槽を防振支持する防振支持手段を有し、
前記外枠筐体は、筐体本体部と、前記筐体本体部を載置するように支持するベース部を有し、
前記ベース部の間口幅、および奥行幅が前記外枠筐体の間口幅、および奥行幅より小さく、
前記筐体本体部は両側面板が鋼板で形成され、
前記ベース部は合成樹脂で形成され、
筐体本体部は、
前記両側面部の前側に掛け渡して結合された鋼板の前側補強板と、
前記両側面部の後側下部に掛け渡して結合された鋼板の後側下部補強板と、
前記両側面部の後側上部に掛け渡して結合された鋼板の後側上部補強板と、
前記両側面部の上側に掛け渡して結合された鋼板の天井補強板と、
前記前側補強板を覆うよう被せる合成樹脂で作られた前面カバーと、
前記天井補強板を覆うよう被せる合成樹脂で作られた上面カバーと、
前記両側面部の前側コーナ部を覆うよう被せる合成樹脂で作られたコーナカバーと、
前記前側コーナ部の下側、および筐体本体部の下側を覆うよう被せる合成樹脂で作られた下側カバーと、
前記前側下部補強板と前側上部補強板との間の開口を塞ぐ前記両側面部の後側に掛け渡して結合された鋼板の後カバーを有することを特徴とするドラム式洗濯機。
【請求項８】
請求項７記載のドラム式洗濯機において、
前側補強板、後側上部補強板、後側下部補強板、および前記天井補強板は、前記両側面板、および後カバーよりも板厚が厚いことを特徴とするドラム式洗濯機。
【請求項９】
請求項１または２記載のドラム式洗濯機において、
前記ベース部の側面より外側に延在し、前記筐体本体部の側面に沿うように立て掛けて収納する排水ホースを有し、
前記湾曲形状は、下側の曲率が上側の曲率よりも小さいことを特徴とするドラム式洗濯機。
【請求項１０】
回転軸心線を横にした回転自在なる洗濯ドラムと、前記洗濯ドラムを内置し、洗濯水を溜める外槽と、前記外槽を内置する外枠筐体と、前記外枠筐体内に前記外槽を防振支持する防振支持手段を有し、
前記外枠筐体は、筐体本体部と、前記筐体本体部を載置するように支持するベース部を有し、
前記ベース部の間口幅、および奥行幅が前記外枠筐体の間口幅、および奥行幅より小さくしたことを特徴とするドラム式洗濯機。
【発明の詳細な説明】
【技術分野】
【０００１】
本発明は、回転軸心線を横にした回転自在なる洗濯ドラムが外枠筐体内に防振支持されているドラム式洗濯機に関する。
【０００２】
本発明のドラム式洗濯機は、乾燥運転機能を有するドラム式洗濯乾燥機も含む。
【背景技術】
【０００３】
ドラム式の洗濯機は、特開２００３−７９９９５号公報（特許文献１）に記載されてい
る。このドラム式洗濯機は、投入口が斜め上向きになるように洗濯ドラム槽の回転軸心線
が斜めに設置され、洗濯ドラム槽を内置する外槽がサスペンションで防振支持される構成
を有する。
【０００４】
【特許文献１】特開２００３−７９９９５号公報
【発明の開示】
【発明が解決しようとする課題】
【０００５】
ドラム式洗濯機は、洗濯ドラム槽の回転軸心線を洗濯物の投入口が上向きになるように傾斜させることで、洗濯ドラムへの洗濯物の出し入れがし易くなる。
【０００６】
しかし、その傾斜の傾き角度を大きくすると、洗濯物の出し入れがし易くなる反面で、
洗濯物の洗浄力が低下する。
【０００７】
また、洗濯ドラムの半径ｄと奥行きＬとの対比で、Ｌをｄより大きくすると、叩き洗い
による機械力が低下し、洗浄力が低下する。それとともにドラム式洗濯機の外枠筐体の奥行寸法が増大し、薄型化が図れない。
【０００８】
逆にｄをＬより大きくすると、叩き洗いによる機械力が増加し、洗濯物の傷みが増大す
る。それとともに外枠筐体の幅や丈が増大してコンパクト化が図れない。加えて、脱水時
の遠心力増大により、振動・騒音が増大する。
【０００９】
さらに、薄型化すると、ドラム式洗濯機の間口幅が拡がる。ドラム式洗濯機を載置する防水パンが大きくなるので、置き場所を大きくとることになる。
【００１０】
また、ドラム式洗濯機の側面に設けられる排水ホースは、低部のベース部から突き出て外側に延びている。洗濯をしないときは、ドラム式洗濯機の側面に排水ホースを立て掛けるように仕舞う。
【００１１】
排水ホースは、ベース部から突き出たところで大きめに湾曲してドラム式洗濯機の側面より出張るので、出張り代を見込んだ間口幅の広い置き場所が必要になる。
【００１２】
本発明は、上記の問題に鑑み、置き場所を大きくとらないドラム式洗濯機を提供することを目的とする。
【００１３】
また、本発明は、薄型で洗濯物の出し入れがし易く、洗浄力が良好なドラム式洗濯機を提供することを目的とする。
【課題を解決するための手段】
【００１４】
本発明は、回転軸心線を横にした回転自在なる洗濯ドラムと、前記洗濯ドラムを内置し、洗濯水を溜める外槽と、前記外槽を内置する外枠筐体と、前記外枠筐体内に前記外槽を防振支持する防振支持手段を有し、前記外枠筐体は、筐体本体部と、前記筐体本体部を載置するように支持するベース部を有し、前記ベース部の間口幅、および奥行幅が前記外枠筐体の間口幅、および奥行幅より小さく、前記筐体本体部は、下部側周りが縦方向の湾曲形状をしていることを特徴とする。
【００１５】
本発明は、外枠筐体内に設けられた円筒形状をした洗濯水やすすぎ水が溜まる外槽と、
前記外槽内に回転自在に設けられ、洗濯物を収納する円筒形状の洗濯ドラム槽と、前記洗
濯ドラム槽を有するドラム式洗濯機において、前記洗濯ドラム槽の径Ｄと、洗濯ドラム槽の前後方向の長さＬとが、（Ｄ／２）／Ｌ＝０．９〜１．１であることを特徴とする。
【発明の効果】
【００１６】
本発明によれば、置き場所を大きくとらないドラム式洗濯機を提供することができる。
【００１７】
また、本発明によれば、薄型で洗濯物の出し入れがし易く、洗浄力が良好なドラム式洗濯機を提供することができる。
【発明を実施するための最良の形態】
【００１８】
ドラム式洗濯機は、図１、図５〜図９に示すように、外枠筐体１と、外枠筐体１内に置かれる外槽２と、外槽２内に回転自在に備わる洗濯ドラム３を有する。外槽２は防振支持手段により防振支持される。
【００１９】
外枠筐体１は、筐体本体部４と、筐体本体部４を載置するベース部５を有する。ベース部５は合成樹脂で形成され、図１０に示すように多数の格子状の補強構造部６を有する。ベース部５の底面４隅には、支持脚７が設けられる。
【００２０】
ベース部５の間口幅、および奥行幅は、外枠筐体１の間口幅、および奥行幅より小さく作られている。
【００２１】
すなわち、外枠筐体１は、洗濯ドラム３の前後方向長さ（奥行）を浅くした分だけ径を大きくする関係により、間口幅が大きくなる。外枠筐体１の外寸が薄いので、置かれたドラム式洗濯機の出張りが少なくなるメリットがある。また、洗濯ドラム３の奥行きが浅いので、洗濯物の出し入れがし易い。
【００２２】
しかし、ドラム式洗濯機の間口幅が大きくなったので、一回り大きく防水パン１１（図３、図４）が必要になる。大きい防水パン１１を使うと、外枠筐体１の外寸を薄くした薄型化のメリットがなくなる。そこで、ベース部５の間口幅、および奥行幅は、外枠筐体１の間口幅、および奥行幅よりも小さくすることにより、小さな防水パン１１で対応できるので、薄型化のメリットを有効に利用できる。ドラム式洗濯機を据える置き場所を大きくとらない良さがある。
【００２３】
なお、防水パンは、プラスチック製で四角い皿状の水受けである。
【００２４】
排水ホース８は、図１、図３に示すように、ベース部５の右側の側面から突き出して外側に延在する。洗濯をしないときには、図３に示すように、排水ホース８は、筐体本体部４の側面に立て掛けて置く。
【００２５】
排水ホース８の先端側には、フック（図示せず）が設けられている。筐体本体部４の側面に設けたフック掛け穴９（図１）にフックを掛けることにより、図３のように排水ホース８は、筐体本体部４の側面に沿うように立て掛けられる。
【００２６】
筐体本体部４は、図５〜図１１に示すように、鋼板（板厚０．７ｍｍ）で形成された左右の両側面板２０と、両側面部２０の前側に掛け渡して結合された鋼板（板厚１．６ｍｍ）の前側補強板２１と、両側面部２０の後側下部に掛け渡して結合された鋼板（板厚１．６ｍｍ）の後側下部補強板２２と、両側面部２０の後側上部に掛け渡して結合された鋼板（板厚１．６ｍｍ）の後側上部補強板２３と、両側面部２０の上側に掛け渡して結合された鋼板（板厚１．６ｍｍ）の天井補強板２４を有する。
【００２７】
前側補強板２１、後側下部補強板２２、後側上部補強板２３、天井補強板２４は、両側面板２０にネジで締結される。両側面板２０は表面に樹脂コーテングが施されているので、溶接をせずにネジ締結を採用した。
【００２８】
筐体本体部４は、鋼板の両側面板２０と、前側補強板２１、後側下部補強板２２、後側上部補強板２３、天井補強板２４が組み合わされて構成されるので、丈夫である。脱水運転時に洗濯ドラム３のアンバランスによる大きな荷重振動にも筐体本体部４は、十分耐える。
【００２９】
後カバー２５は、図１に示すように、後側下部補強板２２、後側上部補強板２３の間に開く筐体本体部４の後開口を塞ぐ蓋で、鋼板（板厚０．３ｍｍ）で作られている。後カバー２５には、アンバランスによる大きな荷重振動がかからないので、両側面板２０よりも薄くして重量低減を図っている。
【００３０】
さらに、筐体本体部４は、図１、図２、図５、図９に示すように、前側補強板２１を覆うよう被せる合成樹脂で作られた前面カバー２６と、天井補強板２４を覆うよう被せる合成樹脂で作られた上面カバー２７と、両側面部２０の前側コーナ部を覆うよう被せる合成樹脂で作られたコーナカバー２９と、前側コーナ部の下側、および筐体本体部４の下側を覆うよう被せる合成樹脂で作られた下側カバー４０を有する。
【００３１】
筐体本体部４は、後側を除く外観が両側面板２０、前面カバー２６、上面カバー２７、コーナカバー２９、および下側カバー４０により形成される。外観は、両側面板２０を除き、合成樹脂の部品で形成されているので、種々の形状や配色を自由に選定できる。
【００３２】
洗濯用外蓋４１は、図１、図２、図７、図９に示すように前面カバー２６の洗濯物出し入れ口４２を開け閉めする。洗濯用外蓋４１のヒンジ４３は、図７に示すように、前側補強板２１に支持される。
【００３３】
押しボタン４４は、図１、図２、図５、図９に示すように、前面カバー２６の右上に設けられる。この押しボタン４４を押すと、洗濯用外蓋４１のロックが解かれて洗濯用外蓋４１が開かれる。洗濯物の出し入れが行われる。
【００３４】
前面カバー２６、上面カバー２７、コーナカバー２９、および下側カバー４０は、合成樹脂で別体に形成されている。合成樹脂で成形されるので、湾曲面を含む種々の形状や配色も任意に選定できる。
【００３５】
上面カバー２７は、上面部２７ａと、コーナ部２７ｂを有する。上面部２７ａと、コーナ部２７ｂは別々に成形され、係止爪等の結合手段を用いて一体物に組まれる。上面部２７ａと、コーナ部２７ｂは別々に成形したのは、色違いにするためである。
【００３６】
上面部２７ａは、中央に幾分窪んだ平坦部２７ｃを有する。平坦部２７ｃは、洗剤やソフナーを一時的に置く、仮置台として利用できる。
【００３７】
上面部２７ａには、左端前側に洗剤投入容器４５、右端前側に仕上剤投入容器４６が取り外し自在に備わる。
【００３８】
下側カバー４０は、前面部４０ａと、コーナ部４０ｂを有する。前面部４０ａと、コーナ部４０ｂは別々に成形され、係止爪等の結合手段を用いて一体物に組まれる。前面部４０ａと、コーナ部４０ｂを別々に形成したのは、色違いにするためである。
【００３９】
前面部４０ａには、リント用外蓋４７が取り外し自在に備わる。リント用外蓋４７を外し、内部に置かれるリントポケット４８の着脱を行う。
【００４０】
コーナカバー２９、コーナ部２７ｂ、コーナ部４０ｂは、湾曲面を有する。これらのコーナカバー２９、コーナ部２７ｂ、コーナ部４０ｂにより、外枠筐体１の下部側の前側コーナ回りは、縦方向の湾曲形状になっているので角張りがなく、当たりがやわらかになるため使い勝手が良い。
【００４１】
コーナ部４０ｂの左右両端の角部は、概ね球状面に形成されているので、殊のほか当たりが緩和され、使い勝手が向上する。
【００４２】
両側面板２０は、図１〜図４、図１５〜図１９に示すように、上下側および前後側を湾曲させた湾曲部２０ａ、２０ｂ、２０ｃ、２０ｄと、中央に設けた平坦状の中央平坦部２０ｅを有する。湾曲部２０ａ、２０ｂ、２０ｃ、２０ｄの湾曲は、樹脂コーテングが施された表面側に突き出す形状になっている。
【００４３】
両側面板２０は、０．６ｍｍの鋼板であるが、中央平坦部２０ｅの回りに湾曲部２０ａ、２０ｂ、２０ｃ、２０ｄを設けて縦方向および横方向の剛性を高めている。これにより、筐体本体部４は、洗濯ドラム３のアンバランスによる大きな荷重振動にも十分耐える。
【００４４】
中央平坦部２０ｅは、下側に前後並び設けた二つの運搬用下部取っ手６０、６１と、上側に設けた運搬用上部取っ手６２と、フック掛け穴９を有する。運搬用下部取っ手６０、６１、上側に設けた運搬用上部取っ手６２、フック掛け穴９は、側面板２０の鋼板をプレス加工で打ち抜いて形成する。
【００４５】
平坦な中央平坦部２０ｅに、プレスによるうち抜き加工をするので、打ち抜きがし易い。
【００４６】
運搬用下部取っ手６０、６１、上側に設けた運搬用上部取っ手６２は、打ち抜いた穴に合成樹脂の取っ手かバーを嵌め込んで形成される。
【００４７】
取っ手かバーで打ち抜いた穴がカバーされるので、手が掛け易く安全である。また、フック掛け穴９は、縁部を内側に折り曲げて尖った角をなくしている。
【００４８】
運搬用上後部取っ手６３、６４は、図８、図１０、図１１に示すように、前後に並んで二つ設けられている。
【００４９】
運搬用下部取っ手６０、６１が前後に並んで設けられているので、二人の運搬者が前後から抱き抱えるようにしてドラム式洗濯機を運ぶことができる。８０ｋｇ程度の重いドラム式洗濯機でも二人の運搬者により、容易に搬送することができる。
【００５０】
運搬用上部取っ手６２、および運搬用上後部取っ手６３、６４は、ドラム式洗濯機の据付向きを変えたり、防水パン１１にドラム式洗濯機を載置ときに利用する。この場合も二人で作業できるように４つの取っ手を設けた。
【００５１】
また、本実施例の外枠筐体には、取っ手が設けてある。本体を人力で運ぶ場合、本体の重量が重いため、両側面から二人で持ち上げて運ぶ場合が多い。その場合、間口幅を奥行き寸法より小さくした方が、より狭い通路を通過し易くなる。また、洗濯ドラムの回転軸を水平から傾けた状態で配置しているため、特に奥行きが大きくなりがちである。
【００５２】
したがって、このような構成が好ましい。
【００５３】
両側面板２０は、図１５、図１６、図１８に示すように、下部側が縦方向の湾曲形状をしている。この湾曲形状は、下側の曲率Ｒ１が上側の曲率Ｒ２よりも小さく作られている。両側面板２０は、下端に下部接続フランジ６５を有する。
【００５４】
両側面板２０は、図１５に示すように、下部接続フランジ６５をベース部５に載せるように当接し、ベース部５の下方から挿入したネジ６６を下部接続フランジ６５に締め付けることにより、ベース部５に締結される。
【００５５】
前述したように、ベース部５の間口幅は筐体本体部４の間口幅よりも小さく作られている。この間口幅の小さいベース部５の側面から排水ホース８が、図１、図３に示すように、突き出して外側に延在している。
【００５６】
この排水ホース８は、両側面板２０に立て掛けるように収納される。この収納に際し、排水ホース８は湾曲する。しかし、ベース部５の間口幅が筐体本体部４の間口幅よりも小さく、両側面板２０の下部側が縦方向の湾曲形状をしているので、排水ホース８の湾曲に伴いドラム式洗濯機の側面へ排水ホース８が部分的に膨らんで出張るようなことが生じない。
【００５７】
このように、排水ホース８の部分的な膨らみよる出張が生じないので、置き場所を大きくとらないドラム式洗濯機を提供することができる。
【００５８】
また、両側面板２０の湾曲形状は、上側の曲率Ｒ２が下側の曲率Ｒ１よりも大きく作られているので、排水ホース８の曲げに対する耐久寿命を長くすることができる。
【００５９】
すなわち、排水ホース８の収納に際し、排水ホース８の上げ下げに伴い排水ホース８は曲がる。上側の曲率Ｒ２が下側の曲率Ｒ１よりも大きくなっているので、小さな一つの曲率で作られているものに比べ、排水ホース８の曲がり半径が大きく、曲げ疲労が緩和され、耐久寿命が長くなる。
【００６０】
さらに、下側の曲率Ｒ１が小さく、上側の曲率Ｒ２が大きいので、大きな一つの曲率で作られているものに比べ、防水パンとの隙間間隔（ａ）を小さくできる。このため、小さな防水パンでも排水ホース８を無理なく入れることができる。同じ幅なら防水パンの高さ（ｂ）を大きくできる。
【００６１】
縦補強部材６７は、図５、図６、図１０〜図１２に示すように、両側面板２０の前側下部の補強である。縦補強部材６７は、鋼板（板厚１．６ｍｍ）で形成される。
【００６２】
両側面板２０は、図１６に示すように、前部接続フランジ８０、後部接続フランジ８１、上部接続フランジ８２を有する。縦補強部材６７は、図１０〜図１３に示すように、前部接続フランジ８０の下側にネジで締結される。
【００６３】
縦補強部材６７は脚部８３を有する。この脚部８３をベース部５の支持ボス８４に載せ、ネジで締結することにより、両側面板２０はベース部５に結合される。縦補強部材６７は、絞りリブの補強が形成されている。
【００６４】
両側面板２０の前側は、縦補強部材６７を用いてベース部５にしっかり結合されているので、洗濯ドラム３のアンバランスによる大きな荷重振動にも耐える。
【００６５】
天井補強板２４は、図１０、図１１に示すように、両側面板２０の上部接続フランジ８２にネジで締結される。後側下部補強板２２、および後側上部補強板２３は、図８、図１１に示すように、両側面板２０の後部接続フランジ８１にネジで締結される。
【００６６】
前側補強板２１は、図６、図９に示すように、両側面板２０の前部接続フランジ８０にネジで締結される。
【００６７】
両側面板２０は、前側、後側、上側、および前側下部が補強板ないし補強部材で組まれた丈夫な構造体になるので、洗濯ドラム３のアンバランスによる大きな荷重振動にも耐える。
【００６８】
また、外枠筐体１は、両側面板２０を除く、外観が合成樹脂で作られる前面カバー２６、上面カバー２７と、コーナカバー２９、および下側カバー４０で形成されるので、体裁の良い外観を有するドラム式洗濯機を提供できる。
【００６９】
コーナカバー２９、下側カバー４０は、図１、図２、図９、図１０に示すように、両側面板２０の前側に取り付けられる。両側面板２０の前側は、内側に絞り込んだカバー支持段部８５を有する。
【００７０】
このカバー支持段部８５に落ち込むように取り付けられたコーナカバー２９、下側カバー４０は、表面が両側面板２０の表面と面一になるので、体裁の良いになる。
【００７１】
カバー支持段部８５は、図９、図１３に示すように、係止穴８６を有する。この係止穴８６にコーナカバー２９や下側カバー４０に設けた係止爪８７を係止させることにより、コーナカバー２９や下側カバー４０は両側面板２０に固定される。
【００７２】
外槽２は、図７、図８に示すように、外側表面に格子状に走る多数の補強リブを有する。この多数の補強リブで、合成樹脂で形成された外槽２の補強をすることにより、洗濯ドラム３のアンバランスによる大きな荷重振動にも耐える外槽２にすることができる。
【００７３】
電動機８８は、外槽２の後部背面中央に固定支持される。洗濯ドラム３は電動機８８の回転軸に固定され、電動機により駆動回転される。洗濯や乾燥の運転では、４０〜５０ｒｐｍの低速で電動機は回転する。
【００７４】
脱水運転では電動機により、洗濯ドラムは高速に回転させられて遠心脱水が行なわれる。遠心脱水時に洗濯ドラム３のアンバランスによる大きな荷重振動が生じる。ドラム式洗濯機は、この大きな荷重振動にも耐える構造を備えている。
【００７５】
次に他の実施例について、図２０〜図２３を引用して説明する。
【００７６】
この実施例は、外枠筐体が薄型で洗濯物の出し入れがし易く、洗浄力が良好なドラム式洗濯機に関するものである。この実施例は、先の実施例で述べたベース部の間口幅、および奥行幅が外枠筐体の間口幅、および奥行幅より小さい構成を踏襲した。
【００７７】
外枠筐体１の外形寸法は、図２０に示すしょうに、丈Ｈが１１００ｍｍ、前側の幅Ｗが６５０ｍｍ、奥行きＤが６１０ｍｍである。
【００７８】
この外形寸法は、洗濯容量が８〜１０ｋｇ、乾燥容量が６〜８ｋｇの場合である。洗濯容量、乾燥容量が変わると、洗濯ドラムの大きさも変わるため外形寸法は変わる。
【００７９】
外枠筐体１の薄型化には、洗濯ドラム３の径を大きくして奥行きを小さくすることにより、外槽２の奥行きが小さくなるので薄型にすることができる。
【００８０】
また、薄型にすることにより、洗濯ドラム３の奥行きが浅くなるので、洗濯物の出し入れがし易くなる。洗濯物の出し入れ口が上向きになるように洗濯ドラム３を傾けると、洗濯物の出し入れがし易くなる反面、薄型化に逆行し、ドラム式洗濯機の叩き洗い（洗浄力）が低下する。
【００８１】
そこで、洗濯ドラム３の傾きθを１０°〜２０°程度とし、洗濯ドラム３の径と奥行きの関係について検討した。
【００８２】
これについて、図２１、図２２を引用して説明する。
【００８３】
洗濯ドラム３の回転により、洗濯物９０は、リフター９１で掻き揚げられて自然落下し、洗浄される。
【００８４】
さて、洗濯物９０の定格容量が８ｋｇで比容積を９〜１３（Ｌ／ｋｇ）と
した場合、洗濯ドラム槽の内容積Ｖリットルは約７２リットル〜１０４リットルとなる。
【００８５】
この範囲内とする場合、洗濯ドラム３の径と奥行きの関係では次のようになる。
【００８６】
径Ｄ１Φが５４０ｍｍの場合には、奥行きＬは３１５ｍｍ必要になる。
【００８７】
径Ｄ１Φが６６０ｍｍの場合には、奥行きＬは２０５ｍｍ必要になる。
【００８８】
奥行きＬが３１５ｍｍでは外枠筐体１の薄形化は図れない。径Ｄ１Φが６６０ｍｍの場
合には、奥行きＬが２０５ｍｍで薄形化になるが、径大にともない本体筐体１の幅（Ｗ）
が大きくなってしまう。このため家屋への据付性が悪くなる。
【００８９】
そこで、家屋への据付性も考慮した適性な薄形化を図るには、比容積を９〜１３（ｋｇ）の中心あたりを狙うと定格容量が８ｋｇの場合で、８０〜８８（Ｌ）が望ましい。この結果より、奥行きＬは２８０〜３１０ｍｍ、径Ｄ１Φは６００ｍｍとすることが望ましい。
【００９０】
さらに、洗浄力、損傷について、洗濯ドラムの径ＤΦ／洗濯ドラムの奥行きＬの関係に基づき、図２３を引用して説明する。
【００９１】
この図は、左縦軸線に洗浄力指数、右縦軸線にＭＡ値（傷み値）、横軸線に洗濯ドラム
３の径ＤΦ／洗濯ドラム３の奥行きＬの比を表している。実線が洗浄力指数、点線がＭＡ値を示している。
【００９２】
このデータは、洗濯ドラム槽１１の傾斜角度θを１０°〜２０°に設定した場合の測定
値である。
【００９３】
ＭＡ（Ｍａｃｈａｎｉｃａｌ  Ａｃｔｉｏｎ）試験法とは、洗濯物９０の損傷評価法である。
【００９４】
洗濯物９０が物理的作用を受けて損傷する程度を評価するＭＡ（Ｍａｃｈａｎｉｃａｌ
Ａｃｔｉｏｎ）試験法では、直径Ｄ３５ｍｍの円を５ケ所打ち抜いた４００ｍｍ角の平織
り綿布を使用する。洗いや濯ぎ時の叩き洗い等による機械力で、５ケ所の円内に生じた糸
のほつれ数の総和による洗濯物の傷みを検証し、評価する。
【００９５】
ＭＡ値が高い程、洗濯物が受ける機械力が強く、洗浄力は向上するが、洗濯物９０の傷みが激しくなる。
【００９６】
標準的な洗濯コースでのＭＡ値は４５〜５５程度である。それ以下であれば汚れ落ちが
悪くなる。それ以上であれば布傷みが激しくなり、洗濯機としての機能を損なう。
【００９７】
洗濯時間を長くすれば、洗濯物９０が受ける機械力の総量が増し、洗浄も向上する反面布傷みも増す。また、洗濯ドラム３の径を大きくすると、叩き洗いの効果が向上して汚
れ落ちは良くなるが、布傷みが激しくなる。
【００９８】
上記洗濯性能にかかわる利害得失を考慮し、種々試験検討、試行を重ねた末に、洗濯ド
ラム３の「半径ｄΦ／洗濯ドラム３の奥行きＬ」の比（ｄ／Ｌ）を０．９〜１．１の範囲にすることが適正であることを突き止めた。なお、ｄは洗濯ドラム３の半径である。
【００９９】
また、比（ｄ／Ｌ）を０．９〜１．１の範囲にすることで、洗濯物９０の出し入れがし易く、家屋への据付性も考慮した適性な薄形化が図られたドラム式洗濯乾燥機を提供できる。
【図面の簡単な説明】
【０１００】
【図１】本発明の実施例に係わるもので、ドラム式洗濯機の外観斜視図である。
【図２】本発明の実施例に係わるもので、リント捕集装置のリント用外蓋を外した状態を示す図である。
【図３】本発明の実施例に係わるもので、防水パンに載せられたドラム式洗濯機を正面から見た図である。
【図４】本発明の実施例に係わるもので、防水パンに載せられたドラム式洗濯機を側面から見た図である。
【図５】本発明の実施例に係わるもので、下側カバーや上面カバー等を外したドラム式洗濯機の外観を前側から見た図である。
【図６】本発明の実施例に係わるもので、前面カバー、下側カバー、および上面カバー等を外したドラム式洗濯機の外観を前側から見た図である。
【図７】本発明の実施例に係わるもので、ドラム式洗濯機の横断面図である。
【図８】本発明の実施例に係わるもので、上面カバーや後カバー等を外したドラム式洗濯機の後側から見た図である。
【図９】本発明の実施例に係わるもので、前面カバー、下側カバー、コーナカバー、および上面カバー等を分解した状態でのドラム式洗濯機の外観斜視図である。
【図１０】本発明の実施例に係わるもので、前面カバー、後カバー、前側補強板を取り除いた外枠筐体を前側から見た外観斜視図である。
【図１１】本発明の実施例に係わるもので、前面カバー、後カバー、前側補強板を取り除いた外枠筐体を後側から見た外観斜視図である。
【図１２】本発明の実施例に係わるもので、外枠筐体の左側になる側面板の前側が縦補強部材で補強された補強構造を内側から見た部分拡大斜視図である。
【図１３】本発明の実施例に係わるもので、図１２に示すような補強構造を真上から見た図である。ただし、右側の側面板の前側に位置するところを見た図になる。
【図１４】本発明の実施例に係わるもので、後側下部補強板と側面板の結合部を内側から見た部分斜視図である。
【図１５】本発明の実施例に係わるもので、ベース部と側面板の結合部分を断面した断面図である。
【図１６】本発明の実施例に係わるもので、側面板を内側方向から見た斜視図である。
【図１７】本発明の実施例に係わるもので、側面板を外側から見た正面図である。
【図１８】本発明の実施例に係わるもので、図１７のＢ−Ｂ断面図である。
【図１９】本発明の実施例に係わるもので、図１７のＡ−Ａ断面図である。
【図２０】本発明の他の実施例に係わるもので、ドラム式洗濯機の外観斜視図である。
【図２１】本発明の他の実施例に係わるもので、ドラム式洗濯機の外枠筐体、外槽、および洗濯ドラムを断面した断面図である。
【図２２】本発明の他の実施例に係わるもので、薄型化を説明するためのグラフである。
【図２３】本発明の他の実施例に係わるもので、洗浄力、損傷、洗濯ドラム槽の径ＤΦ／洗濯ドラム槽の奥行きＬとの関係を示したグラフである。
【符号の説明】
【０１０１】
１…外枠筐体、２…外槽、３…洗濯ドラム、５…ベース部。
【図１】
2008093150.tif 000003
【図２】
2008093150.tif 000004
【図３】
2008093150.tif 000005
【図４】
2008093150.tif 000006
【図５】
2008093150.tif 000007
【図６】
2008093150.tif 000008
【図７】
2008093150.tif 000009
【図８】
2008093150.tif 000010
【図９】
2008093150.tif 000011
【図１０】
2008093150.tif 000012
【図１１】
2008093150.tif 000013
【図１２】
2008093150.tif 000014
【図１３】
2008093150.tif 000015
【図１４】
2008093150.tif 000016
【図１５】
2008093150.tif 000017
【図１６】
2008093150.tif 000018
【図１７】
2008093150.tif 000019
【図１８】
2008093150.tif 000020
【図１９】
2008093150.tif 000021
【図２０】
2008093150.tif 000022
【図２１】
2008093150.tif 000023
【図２２】
2008093150.tif 000024
【図２３】
2008093150.tif 000025